(57)【要約】      （修正有）【課題】販売時には蓋の蒸気抜き部をリング状のシュリンクフィルムで覆い異物の混入を防止するとともに、電子レンジで加熱すると、蒸気抜き手段により蒸気を外部へ排出できる電子レンジ用食品容器を提供する。【解決手段】電子レンジ加熱される食品が収納される容器本体４と、容器本体の開口部７を覆うことができ、かつ容器本体内で発生する蒸気を抜くことができる蒸気抜き部１２が形成された蓋６と、蓋で前記容器本体の開口部を閉じた状態を保持し、蓋の蒸気抜き部を覆うことができるリング状のシュリンクフィルム８と、このリング状のシュリンクフィルムの蓋の蒸気抜き部からの蒸気を外部へ排出できる部位に、通常時には異物の混入を阻止できる少なくとも１個以上の線状の切り欠き１６で、電子レンジで加熱されると少なくとも１個以上の蒸気抜き孔となる蒸気抜き手段とで電子レンジ用食品容器を構成している。【選択図】図２
2014091542.tif 000002
【特許請求の範囲】
【請求項１】
電子レンジで加熱される食品が収納される容器本体と、この容器本体の開口部を覆うことができ、かつ該容器本体内で発生する蒸気を抜くことができる蒸気抜き部が形成された蓋と、この蓋で前記容器本体の開口部を閉じた状態を保持し、かつ蓋の蒸気抜き部を覆うことができるリング状のシュリンクフィルムと、このリング状のシュリンクフィルムの前記蓋の蒸気抜き部からの蒸気を外部へ排出できる部位に、通常時には異物の混入を阻止できる少なくとも１個以上の線状の切り欠きで、電子レンジで加熱されると少なくとも１個以上の蒸気抜き孔となる蒸気抜き手段とからなることを特徴とする電子レンジ用食品容器。
【請求項２】
蓋の蒸気抜き部は蓋の上面に形成したリング状のシュリンクフィルムで覆うことができる凹部内に設けるとともに、該リング状のシュリンクフィルムの取付け時に、蒸気抜き手段部位に収縮させる熱が加わらないように覆って熱を加えることができるように全体を同じ熱収縮フィルムで形成したことを特徴とする請求項１記載の電子レンジ用食品容器。
【請求項３】
蒸気抜き手段は電子レンジで加熱されると形成される複数個の蒸気抜き孔の全体の開口面積は蒸気抜き部の開口面積より大きくなるように形成されていることを特徴とする請求項１、２いずれかに記載の電子レンジ用食品容器。
【発明の詳細な説明】
【技術分野】
【０００１】
本発明はスーパー、コンビニエンスストアー等で、電子レンジで加熱することができる弁当、そば、惣菜等を包装する電子レンジ用食品容器に関する。
【背景技術】
【０００２】
従来、スーパー、コンビニエンスストアー等で販売される弁当等の食品容器の蓋には、電子レンジで加熱した時に発生する蒸気を抜くため、Ｕ字状の切り欠きで弁を形成し、該弁より異物が混入するのを防止するために両端部が貼着された弁シールを設けていた。
このため、弁シールの貼着とラベルの貼着をしなければならず、手数がかかるとともに、コスト高になるという欠点があった。
【０００３】
また、Ｕ字状の切り欠きの上部に両端部が貼着した弁シールを用いているため、弁シールにＵ字状の切り欠きの両端部が押し圧されると、蒸気が抜けずらくなってしまうという欠点があった。
【先行技術文献】
【特許文献】
【０００４】
【特許文献１】特開２００９−２８３２５号公報
【発明の概要】
【発明が解決しようとする課題】
【０００５】
本発明は以上のような従来の欠点に鑑み、販売時には蓋の蒸気抜き部をリング状のシュリンクフィルムで覆って、異物の混入を防止するとともに、電子レンジで加熱すると、複数個の蒸気抜き孔となる蒸気抜き手段によって、蒸気抜き部からの蒸気を外部へ排出することができる電子レンジ用食品容器を提供することを目的としている。
【０００６】
また、本発明は製造が容易で、安価に製造することができるリング状のシュリンクフィルムを用いて、低コストの電子レンジ用食品容器を提供することを目的としている。
【０００７】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００８】
上記目的を達成するために、本発明は電子レンジで加熱される食品が収納される容器本体と、この容器本体の開口部を覆うことができ、かつ該容器本体内で発生する蒸気を抜くことができる蒸気抜き部が形成された蓋と、この蓋で前記容器本体の開口部を閉じた状態を保持し、かつ蓋の蒸気抜き部を覆うことができるリング状のシュリンクフィルムと、このリング状のシュリンクフィルムの前記蓋の蒸気抜き部からの蒸気を外部へ排出できる部位に、通常時には異物の混入を阻止できる少なくとも１個以上の線状の切り欠きで、電子レンジで加熱されると少なくとも１個以上の蒸気抜き孔となる蒸気抜き手段とで電子レンジ用食品容器を構成している。
【発明の効果】
【０００９】
以上の説明から明らかなように、本発明にあっては次に列挙する効果が得られる。
（１）請求項１により、蓋に形成した蒸気抜き部を、異物の混入を阻止できる少なくとも１個以上の線状の切り欠きが形成されたリング状のシュリンクフィルムによって覆うことができる。
したがって、販売までの間、蓋の蒸気抜き部を、異物の混入を阻止できるようにリング状のシュリンクフィルムで覆うことができる。
（２）前記（１）によって、電子レンジで加熱するとリング状のシュリンクフィルムの少なくとも１個以上の線状の切り欠きが、少なくとも１個以上の蒸気抜き孔となる蒸気抜き手段によって、容器本体内の食品から発生ずる蒸気を、蒸気抜き部を介して外部へ排出させることができる。
（３）前記（１）により、リング状のシュリンクフィルムで容器全体を蓋で覆った状態を保持するとともに、蒸気抜き部を覆うことができるので、部品点数が少なく、コストの低減を図ることができる。
（４）請求項２も前記（１）〜（３）と同様な効果が得られるとともに、凹部内に蒸気抜き部を形成するので、蒸気抜き部を舌片状の切り欠きや、透孔を形成したものを用いることができ、かつリング状のシュリンクフィルムを熱収縮させる時、蒸気抜き手段部を覆って行なうので、全体を同じ熱収縮フィルムで形成したリング状のシュリンクフィルムを用いることができ、安価で、容易に製造することができるリング状のシュリンクフィルムを用いることができる。
（５）請求項３も前記（１）〜（３）と同様な効果が得られるとともに、蒸気抜き部からの蒸気を、効率よく蒸気抜き手段によって、外部へ排出させることができる。
【図面の簡単な説明】
【００１０】
【図１】本発明を実施するための第１の形態の平面図。
【図２】図１の２−２線に沿う断面図。
【図３】本発明を実施するための第１の形態の分解図。
【図４】本発明を実施するための第１の形態のリング状のシュリンクフィルムを熱収縮させる説明図。
【図５】本発明を実施するための第１の形態の電子レンジで加熱した状態の平面図。
【図６】本発明を実施するための第１の形態の蒸気が外部へ排出される状態の説明図。
【図７】本発明を実施するための第２の形態の平面図。
【図８】図７の８−８線に沿う断面図。
【図９】本発明を実施するための第２の形態の分解図。
【図１０】本発明を実施するための第３の形態の平面図。
【図１１】図１０の１１−１１線に沿う断面図。
【図１２】本発明を実施するための第３の形態の分解図。
【図１３】本発明を実施するための第４の形態の平面図。
【図１４】図１３の１４−１４線に沿う断面図。
【図１５】本発明を実施するための第４の形態の分解図。
【発明を実施するための形態】
【００１１】
以下、図面に示す本発明を実施するための形態により、本発明を詳細に説明する。
【００１２】
図１ないし図６に示す本発明を実施するための第１の形態において、１は本発明の電子レンジで加熱することができる弁当、そば、惣菜等の食品を包装する電子レンジ用食品容器で、この電子レンジ用食品容器１は電子レンジで加熱することができる食品２が収納される開口端部の内側に蓋嵌合凹部３が形成されたドンブリ状の円形状の容器本体４と、この容器本体４の蓋嵌合凹部３と嵌合固定される嵌合部５が外周部に形成された透明材製の蓋６と、この蓋６で前記容器本体４の開口部７を覆った状態を保持するリング状のシュリンクフィルム８とで構成されている。
【００１３】
前記蓋６は外周部に嵌合部５が形成された蓋本体９と、この蓋本体９の上面で前記リング状のシュリンクフィルム８が位置する部位を除く部位に上方へ弧状に突出し、前記容器本体４の底部４ａを支持することができる支持突片１０、１０と、前記蓋本体９の前記リング状のシュリンクフィルム８が位置する部位で、該シュリンクフィルム８の両端部よりも両端部が内側に位置するように形成された凹部１１と、この凹部１１の底面に形成されたＵ字状の切り欠きの蒸気抜き部１２とで構成されている。
【００１４】
前記リング状のシュリンクフィルム８は帯状の熱収縮フィルムの両端部を接着あるいは溶着固定してリング状に形成したシュリンクフィルム本体１３と、このシュリンクフィルム本体１３の前記容器本体４の開口端部寄りの部位に２本のミシン目ライン１４、１４で形成された取り口部１５と、前記シュリンクフィルム本体１３の前記蓋６の凹部１１と対応する部位に形成された、通常時には異物の混入を阻止できる少なくとも１個以上、好ましくは複数個の線状の切り欠き１６で、電子レンジで加熱されると前記蒸気抜き部１２の開口面積よりも、全体の開口面積が大きくなる少なくとも１個以上の蒸気抜き孔１７となる蒸気抜き手段１８と、前記蓋６の上面部に位置する前記シュリンクフィルム本体１３にプリントされた取り扱い説明等の印刷部１９とで構成されている。
【００１５】
上記構成の電子レンジ用食品容器１は容器本体４内に、電子レンジで加熱することができる弁当、そば、惣菜等の食品２を収納し、蓋嵌合凹部３に蓋６の嵌合部５を嵌合させて、容器本体４の開口部７を蓋６で閉じる。
【００１６】
しかる後、蓋６の支持突片１０、１０間で、凹部１１を覆うことができるようにリング状のシュリンクフィルム８で蓋６と容器本体４を覆う。
【００１７】
しかる後、図４に示すようにリング状のシュリンクフィルム８の蓋６の凹部１１に位置する部位をカバー２０で覆い、図４に示すように他の部位に熱を加えるとリング状のシュリンクフィルム８が収縮して、容器本体４と蓋６とにリング状のシュリンクフィルム８が密着状態となり、容器本体４と蓋６とが一体となる。
【００１８】
この時、カバー２０で覆われているリング状のシュリンクフィルム８部位には異物の混入を阻止できる少なくとも１個以上の線状の切り欠き１６の蒸気抜き手段１８が位置しており、該部位には熱が加わることがないため、そのままの状態を保っている。
【００１９】
このようにしてリング状のシュリンクフィルム８を収縮させて、容器本体４と蓋６とを一体にした電子レンジ用食品容器１は、容器本体４の下部を蓋６の支持突片１０、１０内に位置するように積み重ねることにより、荷崩れすることなく、積み重ねて展示販売することができる。
【００２０】
次に、食する場合、電子レンジ用食品容器１を図５に示すように電子レンジ２１で加熱することにより、電子レンジ用食品容器１内の食品２が加熱され、蒸気を発生するが、発生した蒸気は蓋６の蒸気抜き部１２より凹部１１内に入り込むとともに、電子レンジ２１で加熱することによりリング状のシュリンクフィルム８が収縮して、図６に示すように少なくとも１個以上の線状の切り欠き１６が少なくとも１個以上の蒸気抜き孔１７となるように蒸気抜き手段１８が変形して、該部より外部へ排出することができる。
【００２１】
しかる後、取り口部１５を２本のミシン目ライン１４、１４より切り取ることにより、リング状のシュリンクフィルム８を除去でき、蓋６を除去して容器本体４内の食品２を食することができる。
【００２２】
[発明を実施するための異なる形態]
次に、図７ないし図１５に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２３】
図７ないし図９に示す本発明を実施するための第２の形態において、前記本発明を実施するための第１の形態と主に異なる点は、四角形状の容器本体４Ａと、この容器本体４Ａの蓋嵌合凹部３Ａと嵌合固定される嵌合部５Ａが外周部に形成された四角形状の蓋６Ａと、この蓋６Ａで前記容器本体４Ａの開口部７Ａを覆った状態で取付けられるリング状のシュリンクフィルム８とで構成した点で、このように構成された電子レンジ用食品容器１Ａはリング状のシュリンクフィルム８を前記第１の実施例と同様に熱を加えて収縮させることにより、リング状のシュリンクフィルム８の収縮や蒸気抜き手段１８を複数個の蒸気抜き孔１７にでき、前記本発明の第１の実施の形態と同様な作用効果が得られる。
【００２４】
図１０ないし図１２に示す本発明を実施するための第３の形態において、前記本発明を実施するための第１の形態と主に異なる点は、凹部１１内に１個の透孔あるいは小さな複数個の透孔２２で形成した蒸気抜き部１２Ａを設けた蓋６Ｂを用いた点で、このように構成した電子レンジ用食品容器１Ｂにしても、前記本発明を実施するための第１の形態と同様な作用効果が得られる。
【００２５】
図１３ないし図１５に示す本発明を実施するための第４の形態において、前記本発明を実施するための第３の形態と主に異なる点は、平坦面の上面部位に長孔状の蒸気抜き部１２Ｂを形成するとともに、該蒸気抜き部１２Ｂに蒸気抜き手段１８が位置するようにリング状のシュリンクフィルム８を配置した点で、このように構成した電子レンジ用食品容器１Ｃにしても、前記本発明を実施するための第３の形態と同様な作用効果が得られる。
【産業上の利用可能性】
【００２６】
本発明はスーパー、コンビニエンスストアー等で販売される、電子レンジで加熱することができる弁当、そば、惣菜等を包装する電子レンジ用食品容器を製造する産業で利用される。
【符号の説明】
【００２７】
１、１Ａ、１Ｂ、１Ｃ：電子レンジ用食品容器、
２：電子レンジで加熱することができる食品、
３、３Ａ：蓋嵌合凹部、    ４、４Ａ：容器本体、
５、５Ａ：嵌合部、      ６、６Ａ、６Ｂ：蓋、
７、７Ａ：開口部、
８：リング状のシュリンクフィルム、
９：蓋本体、        １０：支持突片、
１１：凹部、        
１２、１２Ａ、１２Ｂ：蒸気抜き部、
１３：シュリンクフィルム本体、  １４：ミシン目ライン、
１５：取り口部、      １６：線状の切り欠き、
１７：蒸気抜き孔、      １８：蒸気抜き手段、
１９：印刷部、      ２０：カバー、
２１：電子レンジ、      ２２：透孔。
【図１】
2014091542.tif 000003
【図２】
2014091542.tif 000004
【図３】
2014091542.tif 000005
【図４】
2014091542.tif 000006
【図５】
2014091542.tif 000007
【図６】
2014091542.tif 000008
【図７】
2014091542.tif 000009
【図８】
2014091542.tif 000010
【図９】
2014091542.tif 000011
【図１０】
2014091542.tif 000012
【図１１】
2014091542.tif 000013
【図１２】
2014091542.tif 000014
【図１３】
2014091542.tif 000015
【図１４】
2014091542.tif 000016
【図１５】
2014091542.tif 000017